(57)【要約】【課題】作業員の技量によらず、ファスナに一定量のシーラントを均一に、かつ、短時間に塗布することができるシーラント塗布治具を提供する。【解決手段】本発明にかかるシーラント塗布治具２５は、一端からファスナ１３を軸線方向に受け入れる略円筒形状をした内面３３で画成される内部空間３１と、内面３３に形成され、ファスナ１３に近接した位置となる凸部３９およびファスナ１３から離隔した位置となる凹部３７で構成された凹凸部と、が備えられていることを特徴とする。【選択図】図６
2012232660.tif 000002
【特許請求の範囲】
【請求項１】
一端からファスナを軸線方向に受け入れる略円筒形状をした内面で画成される内部空間と、
該内面に形成され、前記ファスナに近接した位置となる凸部および前記ファスナから離隔した位置となる凹部で構成された凹凸部と、が備えられていることを特徴とするシーラント塗布治具。
【請求項２】
前記凹凸部は、前記内面に前記内部空間の軸線方向に延在するように形成された複数の縦溝によって構成されていることを特徴とする請求項１に記載のシーラント塗布治具。
【請求項３】
前記凹凸部は、前記内面に前記内部空間の軸線方向に略直交する方向に全周に亘り形成された複数の横溝によって構成されていることを特徴とする請求項１に記載のシーラント塗布治具。
【請求項４】
前記凹凸部は、前記内面に前記内部空間の軸線方向に傾斜するように形成された１または複数の螺旋溝によって構成されていることを特徴とする請求項１に記載のシーラント塗布治具。
【請求項５】
一端からファスナを軸線方向に受け入れる略円筒形状をした内面で画成される内部空間と、該内面に形成され、前記ファスナに近接した位置となる凸部および前記ファスナから離隔した位置となる凹部で構成された凹凸部と、が備えられているシーラント塗布治具に、前記ファスナを一端側から挿入し前記内部空間内に設置し、
前記内部空間にシーラントを充填し、シーラントが前記ファスナの塗布面全面に行きわたった後、前記ファスナを前記シーラント塗布治具から引き抜くことを特徴とするシーラント塗布方法。
【請求項６】
ファスナの表面に、塗布面全面に行きわたる必要最小量よりも多めにシーラントを塗布し、
前記ファスナを軸線方向に受け入れる略円筒形状をした内面で画成される内部空間と、該内面に形成され、前記ファスナに近接した位置となる凸部および前記ファスナから離隔した位置となる凹部で構成された凹凸部と、が備えられているシーラント塗布治具に、前記ファスナを挿入した後、前記シーラント塗布治具から引き抜くことを特徴とするシーラント塗布方法。
【請求項７】
請求項１から請求項４のいずれかに記載のシーラント塗布治具を用いてシーラントが塗布されたファスナによって部品同士を結合して航空機を組み立てることを特徴とする航空機の組立方法。
【発明の詳細な説明】
【技術分野】
【０００１】
本発明は、シーラント塗布治具、これを用いたシーラント塗布方法および航空機の組立方法に関するものである。
【背景技術】
【０００２】
航空機は、個別に製造された主翼組立品、尾翼組立品、胴体組立品等の航空機組立品が組み立てられて製造されている。
これらの航空機組立品は、外形を形成する外板が、格子状に形成された骨部材である構造部材によって内部から補強されている形式とされている。
外板と外板の内側に位置する構造部材とは、たとえば、特許文献１に示されるようにファスナによって接合されている。
【０００３】
このとき、ファスナと外板および構造部材の装着孔との間には、シーラントが介挿され、気密性を確保するようにされている。
特許文献１に示されるものは、樹脂製のシーラントを装着孔に塗布した後、ファスナを挿入して接合するようにしている。
これとは別に、ファスナに樹脂製のシーラントを塗布して装着孔に挿入することも広く行われている。
ファスナに樹脂製のシーラントを塗布するのは、化学的に安定で溶剤への溶出がほとんどなく、かつ、安価であることから、一般に、作業員が筆を用いて手作業で行っている。
【先行技術文献】
【特許文献】
【０００４】
【特許文献１】特開２００９−２２７１６６号公報
【発明の概要】
【発明が解決しようとする課題】
【０００５】
ところで、作業員が筆を用いてファスナに塗布するものでは、粘性の高いシーラントを薄く、均一に塗布する作業に時間がかかるとともに作業者によって品質にバラツキが発生している。
また、筆によって高粘性のシーラントを適量取ることは困難であり、どうしても過剰量のシーラントを塗布する事態となっている。このため、ファスナを装着後に余分なシーラントがはみ出るので、これを除去する清掃作業に時間を要している。
【０００６】
本発明は、このような事情に鑑み、作業員の技量によらず、ファスナに一定量のシーラントを均一に、かつ、短時間に塗布することができるシーラント塗布治具、これを用いたシーラント塗布方法および航空機部品の組立方法を提供することを目的とする。
【課題を解決するための手段】
【０００７】
上記課題を解決するために、本発明は以下の手段を採用する。
すなわち、本発明の第一態様は、一端からファスナを軸線方向に受け入れる略円筒形状をした内面で画成される内部空間と、該内面に形成され、前記ファスナに近接した位置となる凸部および前記ファスナから離隔した位置となる凹部で構成された凹凸部と、が備えられているシーラント塗布治具である。
【０００８】
本態様にかかるシーラント塗布治具では、一端からファスナを軸線方向に受け入れる略円筒形状をした内面で画成される内部空間と、内面に形成され、前記ファスナに近接した位置となる凸部および前記ファスナから離隔した位置となる凹部で構成された凹凸部と、が備えられているので、ファスナを内部空間の一端から挿入し、ファスナに近接した位置となる凸部がファスナとの間に所定隙間を形成するように内部空間に設置することができる。
たとえば、このようにファスナを設置した後、内部空間の他端部から粘性の高いシーラントを充填すると、シーラントは内面とファスナとの間に形成される隙間を通って一端側に移動する。このとき、凹部では、隙間が大きく、シーラントに対する抵抗が少なくなるので、シーラントはすばやく移動することができる。シーラントがファスナの塗布面の全てを覆うようにされた後、ファスナを内部空間から引き抜くと、シーラントは凸部に規制されて取り除かれるので、ファスナの塗布面に、シーラントを凸部とファスナとの所定隙間に略一致する略均一厚さに塗布することができる。
【０００９】
また、たとえば、ファスナの表面に、シーラントを多めに塗布し、ファスナを内部空間に挿入すると、シーラントは凸部に規制されて取り除かれつつ挿入される。さらにその後、ファスナを内部空間から引き抜くと、シーラントは凸部に規制されて取り除かれるので、ファスナの塗布面に、シーラントを凸部とファスナとの所定隙間に略一致する略均一厚さに塗布することができる。
このように、本態様によれば、作業員の技量によらず、ファスナに一定量のシーラントを均一に、かつ、短時間に塗布することができる。
また、シーラントの塗布量は、凸部とファスナとの間の所定隙間に略一致するので、この所定隙間を調整することによってシーラントの塗布量を調整することができる。このため、シーラントの塗布量を必要な量に止める、言い換えれば、余分な量を極力小さくすることができるので、シーラントの節約が行えるとともにファスナを装着後にはみ出る余分なシーラントを除去する清掃作業を削減することができる。
【００１０】
前記態様では、前記凹凸部は、前記内面に前記内部空間の軸線方向に延在するように形成された複数の縦溝によって構成されていてもよい。
【００１１】
このように、凹凸部は、内面に内部空間の軸線方向に延在するように形成された複数の縦溝によって構成されているので、縦溝の部分が凹部を、隣り合う縦溝の間が凸部を形成することになる。
凹部が内面に内部空間の軸線方向に延在するように配置されているので、たとえば、ファスナを設置した後、他端側からシーラントを注入する場合、シーラントがファスナの塗布面の全てを覆うようにされる時間を短縮することができる。これにより、ファスナへのシーラント塗布作業を短時間に行うことができる。
また、ファスナを引き抜いた後、凹部である縦溝の内部にシーラントが残留しているが、縦溝が内面の軸線方向全体に亘り配置されているので、次のファスナを挿入した場合に、この残留したシーラントがファスナの全面に接触することになる。このため、他端からシーラントを供給しなくてもファスナにシーラントを塗布することができる。
【００１２】
前記態様では、前記凹凸部は、前記内面に前記内部空間の軸線方向に略直交する方向に延在するように形成された複数の横溝によって構成されていてもよい。
【００１３】
このように、凹凸部は、内面に内部空間の軸線方向に略直交する方向に全周に亘り形成された複数の横溝によって構成されているので、横溝の部分が凹部を、隣り合う横溝の間が凸部を形成することになる。
凹部が内面に内部空間の軸線方向に略直交する方向に全周に亘り形成されているので、凸部も全周に亘り形成されていることになる。したがって、ファスナに塗布されたシーラントは凸部によって全周に亘り規制されて取り除かれるので、ファスナの塗布面に、シーラントを一層厚さの変動のない状態で塗布することができる。
【００１４】
前記態様では、前記凹凸部は、前記内面に前記内部空間の軸線方向に傾斜するように形成された１または複数の螺旋溝によって構成されていてもよい。
【００１５】
このように、凹凸部は、内面に内部空間の軸線方向に傾斜するように形成された１または複数の螺旋溝によって構成されているので、螺旋溝の部分が凹部を、隣り合う螺旋溝の間が凸部を形成することになる。
このようにすると、螺旋溝の配置によって前記縦溝および前記横溝を併せた作用を行うことが期待できる。
【００１６】
本発明の第二態様は、一端からファスナを軸線方向に受け入れる略円筒形状をした内面で画成される内部空間と、該内面に形成され、前記ファスナに近接した位置となる凸部および前記ファスナから離隔した位置となる凹部で構成された凹凸部と、が備えられているシーラント塗布治具に、前記ファスナを一端側から挿入し前記内部空間内に設置し、前記内部空間にシーラントを充填し、シーラントが前記ファスナの塗布面全面に行きわたった後、前記ファスナを前記シーラント塗布治具から引き抜くシーラント塗布方法である。
【００１７】
本態様にかかるシーラント塗布方法は、ファスナをシーラント塗布治具の内部空間の一端から挿入し、ファスナに近接した位置となる凸部がファスナとの間に所定隙間を形成するように内部空間に設置する。この状態で、内部空間の他端部から粘性の高いシーラントを充填すると、シーラントは内面とファスナとの間に形成される隙間を通って一端側に移動する。このとき、凹部では、隙間が大きく、シーラントに対する抵抗が少なくなるので、シーラントはすばやく移動することができる。シーラントがファスナの塗布面の全てを覆うようにされた後、ファスナを内部空間から引き抜くと、シーラントは凸部に規制されて取り除かれるので、ファスナの塗布面に、シーラントを凸部とファスナとの所定隙間に略一致する略均一厚さに塗布することができる。
【００１８】
このように、本態様にかかるシーラント塗布方法によれば、作業員の技量によらず、ファスナに一定量のシーラントを均一に、かつ、短時間に塗布することができる。
また、シーラントの塗布量は、凸部とファスナとの間の所定隙間に略一致するので、この所定隙間を調整することによってシーラントの塗布量を調整することができる。このため、シーラントの塗布量を必要な量に止める、言い換えれば、余分な量を極力小さくすることができるので、シーラントの節約が行えるとともにファスナを装着後にはみ出た余分なシーラントを除去する清掃作業を削減することができる。
【００１９】
本発明の第三態様は、ファスナの表面に、塗布面全面に行きわたる必要最小量よりも多めにシーラントを塗布し、ファスナを軸線方向に受け入れる略円筒形状をした内面で画成される内部空間と、該内面に形成され、前記ファスナに近接した位置となる凸部および前記ファスナから離隔した位置となる凹部で構成された凹凸部と、が備えられているシーラント塗布治具に、前記ファスナを挿入した後、前記シーラント塗布治具から引き抜くシーラント塗布方法である。
【００２０】
本態様にかかるシーラント塗布方法では、ファスナの表面に、塗布面全面に行きわたる必要最小量よりも多めにシーラントを塗布し、ファスナをシーラント塗布治具の内部空間に挿入すると、シーラントは凸部に規制されて取り除かれつつ挿入される。ファスナの塗布面が全て内部空間に位置するように挿入された後、ファスナを内部空間から引き抜くと、シーラントは凸部に規制されて取り除かれるので、ファスナの塗布面に、シーラントを凸部とファスナとの所定隙間に略一致する略均一厚さに塗布することができる。
このように、本態様にかかるシーラント塗布方法によれば、作業員の技量によらず、ファスナに一定量のシーラントを均一に、かつ、短時間に塗布することができる。
また、シーラントの塗布量は、凸部とファスナとの間の所定隙間に略一致するので、この所定隙間を調整することによってシーラントの塗布量を調整することができる。このため、シーラントの塗布量を必要な量に止める、言い換えれば、余分な量を極力小さくすることができるので、シーラントの節約が行えるとともにファスナを装着後にはみ出た余分なシーラントを除去する清掃作業を削減することができる。
【００２１】
本発明の第四態様は、前記第一態様にかかるシーラント塗布治具を用いてシーラントが塗布されたファスナによって部品同士を結合して航空機を組み立てる航空機の組立方法である。
【００２２】
本態様にかかる航空機の組立方法では、ファスナへのシーラントの塗布が、作業員の技量によらず、ファスナに一定量のシーラントを均一に、かつ、短時間に塗布することができるので、品質のよい航空機を製造することができ、かつ、組立時間を短縮することができる。
【発明の効果】
【００２３】
本発明によると、作業員の技量によらず、ファスナに一定量のシーラントを均一に、かつ、短時間に塗布することができる。
【図面の簡単な説明】
【００２４】
【図１】本発明の一実施形態にかかるシーラント塗布治具を用いて組み立てられた主翼の構成を説明する斜視図である。
【図２】図１の上外板とストリンガとの締結部の構成を説明する断面視図である。
【図３】図２のファスナを示す側面図である。
【図４】本発明の一実施形態にかかるシーラント塗布治具を示す斜視図である。
【図５】図４のＸ−Ｘ断面視図である。
【図６】本発明の一実施形態にかかるシーラント塗布治具の使用状態を示す断面視図である。
【図７】本発明の一実施形態にかかるシーラント塗布治具の別の実施態様を示す部分縦断面図である。
【図８】本発明の一実施形態にかかるシーラント塗布治具の別の実施態様を示す部分縦断面図である。
【図９】ファスナの別の形状を示す側面図である。
【図１０】図９のファスナにシーラントを塗布するシーラント塗布治具を示す斜視図である。
【発明を実施するための形態】
【００２５】
以下、本発明の一実施形態にかかるシーラント塗布治具およびこれを用いたシーラント塗布方法について図１〜６を用いて詳細に説明する。
図１は、本発明の一実施形態にかかるシーラント塗布治具を用いて組み立てられた主翼の構成を説明する斜視図である。図２は、図１の上外板とストリンガとの締結部の構成を説明する断面視図である。図３は、図２のファスナを示す側面図である。
【００２６】
航空機は、個別に製造された主翼組立品、尾翼組立品、胴体組立品等の複数の航空機組立品が一体に組み立てられて製造されている。以下、主翼１について構造を説明する。
主翼１には、上外板３と、下外板５と、スパー７と、リブ９と、ストリンガ１１と、が主に設けられている。
【００２７】
上外板３および下外板５は、主翼１の外形を構成する薄板であり、スパー７、リブ９、および、ストリンガ１１とともに主翼１に働く引っ張り荷重や、圧縮荷重の一部を受け持つものである。
上外板３は、主翼１の上面を構成する薄板であり、下外板５は、主翼１の下面を構成する薄板である。
上外板３および下外板５は、たとえば、母材としてエポキシ系樹脂を用いるとともに、強化繊維として炭素繊維を用いた炭素繊維強化樹脂（ＣＦＲＰ）で形成されている。なお、上外板３および下外板５は、たとえば、アルミニウム合金等の金属製とされていてもよい。
【００２８】
スパー７は、図１に示されるように、主翼１の翼幅方向に延びる構造部材であって、上外板３および下外板５との間にわたって配置される部材である。本実施形態では、主翼１の前後にそれぞれスパー７が配置されている。
ストリンガ１１は、図１に示されるように、一対のスパー７の間を、主翼１の翼幅方向に延びる構造部材であって、スパー７を強度的に補助するものである。
スパー７およびストリンガ１１は、主翼１に作用する前後方向や、上下方向に働く曲げや捩れなどの力を主翼１が取り付けられている航空機の胴体（図示せず）に伝達するものである。
【００２９】
リブ９は、図１に示されるように、主翼１の翼弦方向に延びるとともに、上外板３および下外板５の間にわたって配置される構造部材である。言い換えると、リブ９は、スパー７およびストリンガ１１と略直交する方向に延びる構造部材であって、主翼１の断面形状に形成された板状の部材である。
スパー７、リブ９およびストリンガ１１は、たとえば、アルミニウム合金等の金属で形成されている。また、部分的に金属で形成されるもの、全体がＣＦＲＰ等の繊維強化樹脂で形成されるものもある。
【００３０】
スパー７、ストリンガ１１およびリブ９は、上外板３および下外板５と金属製のファスナ１３を用いて締結されている。ファスナ１３は、たとえば、アルミニウム合金製、チタン製とされている。
ファスナ１３は、図３に示されるように円柱状に延びる軸部１５と、軸部１５の一端に配置された頭部１７とを有している。軸部１５の直径は、たとえば、約６．７５ｍｍとされている。
頭部１７は、円錐台形状をし、その小径部が略同径の軸部１５に接続するようにされている。軸部１５における頭部１７と反対側の部分には、雄ネジ１９が刻設されている。
【００３１】
図２に示されるように、ファスナ１３は、軸部１５が、上外板３およびストリンガ１１に形成された貫通孔に挿通され、頭部１７は上外板３に埋め込まれるように配置されている。
軸部１５は、ストリンガ１１から突出するようにされている。ナット２１が軸部１５の雄ネジ１９に螺合し、ストリンガ１１側へ移動することによってファスナ１３は上外板３とストリンガ１１とを締結する。
【００３２】
この締結にあたっては、ファスナ１３の軸部１５と上外板３およびストリンガ１１に設けられた貫通孔との間に隙間が設けられている（クリアランスフィットとされている）ため、その部分の気密性を確保する必要がある。
このため、ファスナ１３の軸部１５と上外板３およびストリンガ１１に設けられた貫通孔との間にシーラント２３が介装されるようにされている。
シーラント２３の材料としては、ポリサルファイド、具体的には、ＰＰＧ社製のＰｒｏ―Ｓｅａl  ８９０  Ｃｌａｓｓ  Ｃが用いられている。
なお、シーラント２３の材料としては、ポリチオエーテル、シリコーンゴム、ポリウレタン、エポキシ樹脂等が用いられてもよい。
【００３３】
ファスナ１３による接合時には、図３に示されるようにファスナ１３の軸部１５の側面および頭部１７の下部にシーラント２３が塗布された後に、貫通孔内に挿入される。
以下、ファスナ１３にシーラント２３を塗布する際に、用いられるシーラント塗布治具２５について説明する。
図４は、シーラント塗布治具２５を示す斜視図である。図５は、図４のＸ−Ｘ断面視図である。
【００３４】
シーラント塗布治具２５は、図４に示されるように中空の円筒形状をした軸部受入部２７と、軸部受入部２７の一端に配置された頭部受入部２９とを有している。
頭部受入部２９は、中空の中空円錐台形状をし、その小径部が略同径の軸部受入部２７に接続するようにされている。
軸部受入部２７および頭部受入部２９の内部には、軸線方向に貫通した略円筒形状をした内部空間３１が形成されている。
【００３５】
内部空間３１を画成する内面３３には、軸線方向に延在して全長に亘り連続する縦溝３５が、図５に示されるように周方向に間隔を空けて複数本刻設されている。縦溝３５の深さは、たとえば、０．５０ｍｍとされている。
縦溝３５の部分が凹部３７を、隣り合う縦溝３５の間で刻設されずに残された内面３３が凸部３９を形成することになる。
内面３３、すなわち、凸部３９の直径は、たとえば、約７ｍｍとされている。したがって、凸部３９と軸部１５との直径の差、すなわち、隙間は０．２５ｍｍ（片側０．１２５ｍｍ）とされている。
【００３６】
軸部受入部２７における頭部受入部２９と反対側には、シーラントを噴出させるシーラントガン４１の先端部が装着できるように構成されている。シーラントガン４１の装着は、たとえば、軸部受入部２７の外周に雄ネジが刻設され、シーラントガン４１の先端部にこの雄ネジに対応する雌ネジが刻設され、これら雄ネジと雌ネジとが螺合するようにされている。
【００３７】
このように構成されたシーラント塗布治具２５を用いてファスナ１３にシーラント２３を塗布するシーラント塗布方法について説明する。
シーラント塗布治具２５の軸部受入部２７の他端にシーラントガン４１を装着する。
ファスナ１３は、軸部１５側をシーラント塗布治具２５に向けて、一端である頭部受入部２９側から内部空間３１内に挿入する。ファスナ１３は、図６に示されるように頭部１７が頭部受入部２９の内面３３に当接するまで挿入される。このとき、軸部１５の外周面と凸部３９までの距離、すなわち、隙間は、約０．１２５ｍｍ、凹部３７の底部までの距離、すなわち、隙間は、約０．６２５ｍｍとなっている。
【００３８】
この状態で、シーラントガン４１からシーラントを噴射すると、シーラントは、内部空間３１に充填され、さらに、内面３３と軸部１５との隙間を通って頭部１７へ向かって移動する。
このとき、凹部３７では、軸部１５との間の隙間が大きく、シーラントに対する抵抗が少なくなるので、シーラントはすばやく移動することができる。しかも、凹部３７が軸線方向に連続して存在するので、軸線方向に一層移動し易くなる。したがって、シーラントがファスナ１３の塗布面の全てを覆うようにされる時間を短縮することができる。
【００３９】
シーラントがファスナ１３の塗布面の全てを覆うようにされた後、ファスナ１３を内部空間３１から引き抜く。このとき、シーラントは凸部３９に規制されて取り除かれるので、ファスナ１３の塗布面に、シーラントを凸部３９とファスナ１３との隙間に略一致する略均一厚さに塗布することができる。
【００４０】
このように、本態様によれば、作業員の技量によらず、ファスナ１３に一定量のシーラントを均一に、かつ、短時間に塗布することができる。
また、シーラントの塗布量は、凸部３９とファスナ１３との間の所定隙間に略一致するので、この所定隙間を調整することによってシーラントの塗布量を調整することができる。このため、シーラントの塗布量を必要な量に止める、言い換えれば、余分な量を極力小さくすることができるので、シーラントの節約が行えるとともにファスナ１３を装着後にはみ出る余分なシーラントを除去する清掃作業を削減することができる。
【００４１】
また、ファスナ１３を引き抜いた後、凹部３７の内部にシーラントが残留しているが、凹部３７が内面３３の軸線方向全体に亘り配置されているので、次のファスナ１３を挿入した場合に、この残留したシーラントがファスナ１３の全面に接触することになる。このため、シーラントガン４１からシーラントを供給しなくてもファスナ１３にシーラントを塗布することができる。
【００４２】
本実施形態では、凹部３７および凸部３９が、内面３３に刻設された軸線方向に延在する縦軸３５によって形成されているが、凹部３７および凸部３９の形成はこれに限定されない。
たとえば、図７に示されるように、内面３３に内部空間３１の軸線方向に略直交する方向に全周に亘り形成された横溝４３を軸線方向に間隔を空けて複数本刻設して凹部３７および凸部３９を形成するようにしてもよい。
このようにすると、凹部３７が内面３３に内部空間３１の軸線方向に略直交する方向に全周に亘り形成されているので、凸部３９も全周に亘り形成されていることになる。したがって、ファスナ１３に塗布されたシーラントは凸部３９によって全周に亘り規制されて取り除かれるので、ファスナ１３の塗布面に、シーラントを一層厚さの変動のない状態で塗布することができる。
【００４３】
また、図８に示されるように、内面３３に内部空間３１の軸線方向に傾斜するように形成された１または複数の螺旋溝４５を刻設して凹部３７および凸部３９を形成するようにしてもよい。
このようにすると、螺旋溝４５の配置によって縦溝３９および横溝４３を併せた作用を行うことが期待できる。
凹部３７および凸部３９の形成は、このような縦溝３５、横溝４３および螺旋溝４５によって形成されるものに限定されない。
【００４４】
上述した本実施形態にかかる構成のシーラント塗布治具２５のシーラント塗布試験を行った。
縦溝としたシーラント塗布治具２５によるものを実施例１、横溝としたシーラント塗布治具２５によるものを実施例２とし、溝なしとしたシーラント塗布治具２５によるものを比較例としている。
いずれのシーラント塗布治具２５も、凸部３９（比較例のものは内面３３）とファスナ１３との間隔は同じとしている。
【００４５】
評価項目としては、塗布されたシーラントの厚さの変動を見る塗布ムラ、塗布が完了するまでの時間である塗布時間、１回通常に塗布した後、２回目以降にシーラントを供給しないで塗布できるかを見る再塗布を評価している。
このシーラント塗布試験の結果を表１に示している。
【００４６】
【表１】
2012232660.tif 000003
【００４７】
溝なし、すなわち、凹凸部が形成されていない比較例のシーラント塗布治具２５に比べて、実施例１および実施例２のものは優れていると評価できる。
特に、実施例１のものは、塗布時間の短縮に効果があり、実施例２のものは、塗布ムラの少なさに効果がある。
【００４８】
上述したシーラント塗布方法では、シーラントはシーラントガン４１によって充填するようにしたが、シーラントの充填方法は、これに限らず、適宜手法を採用することができる。
たとえば、カップ（シーラント保管容器）に貯留されたシーラントの上に、孔を設けた蓋を載せ、シーラント塗布治具２５の他端を押し当て、蓋を押圧する。これにより蓋が押し下げられるので、シーラントが孔から押し出され、シーラント塗布治具２５の他端から供給される。このとき、孔を突起した状態とし、その内側に雌ネジを形成し、シーラント塗布治具２５の雄ネジ１９と螺合させるようにしてもよい。
また、シーラントを樹脂（たとえば、ポリプロピレン）製の袋に入れ、袋の口をシーラント塗布治具２５の軸部１５に取り付け、袋を押圧してシーラントを搾り出して供給するようにしてもよい。
【００４９】
上述したシーラント塗布方法では、ファスナ１３をシーラント塗布治具２５に装着した後でシーラントを供給するようにしているが、これに限定されない。
たとえば、塗布面全面に行きわたる必要最小量よりも多めにシーラントを塗布したファスナ１３を、シーラント塗布治具２５の内部空間３１に挿入するようにしてもよい。
このようにすると、ファスナ１３はシーラントが凸部３９に規制されて取り除かれつつ挿入される。ファスナ１３の塗布面が全て内部空間３１に位置するように挿入された後、ファスナ１３を内部空間３１から引き抜くと、シーラントは凸部３９に規制されて取り除かれるので、ファスナ１３の塗布面に、シーラントを凸部３９とファスナ１３との所定隙間に略一致する略均一厚さに塗布することができる。
このようなシーラント塗布方法によっても、上述のシーラント塗布方法と同様な作用・効果を奏することができる。
【００５０】
このようにして、シーラント塗布治具２５を用いて所定厚さのシーラントが塗布されたファスナ１３によって、たとえば、上外板３および下外板５と、スパー７、リブ９、および、ストリンガ１１等の構造部材とを接合して、主翼組立品、尾翼組立品、胴体組立品等の航空機組立品を組み立てる。
これらの主翼組立品、尾翼組立品、胴体組立品等の航空機組立品を組み立てて航空機が製造される。
【００５１】
ファスナ１３の形状および寸法は種々の種類があるので、シーラント塗布治具２５はそれらに応じた形状とされる。
たとえば、図９に示される頭部１７が先細の円筒形状とされているファスナ１３がある。このファスナ１３には、軸部１５の周囲にのみシーラント２３が塗布される。
したがって、シーラントを塗布するシーラント塗布治具２５は、図１０に示されるように中空の円筒形状とされている。シーラント塗布治具２５の内部空間３１を画成する内面３３には、上述した凹部３７および凸部３９が形成されている。
【００５２】
なお、本発明は以上説明した実施形態に限定されるものではなく、本発明の趣旨を逸脱しない範囲で種々の変形を行ってもよい。例えば、内部空間の他端側からシーラントを充填するのではなく、軸部受入部２７内にシーラント流路を設け、軸部受入部２７の内部壁面に複数開設された流路出口からシーラントを充填するようにしてもよい。
【符号の説明】
【００５３】
１  主翼
１３  ファスナ
２５  シーラント塗布治具
３１  内部空間
３３  内面
３５  縦溝
３７  凹部
３９  凸部
４３  横溝
４５  螺旋溝
【図１】
2012232660.tif 000004
【図２】
2012232660.tif 000005
【図３】
2012232660.tif 000006
【図４】
2012232660.tif 000007
【図５】
2012232660.tif 000008
【図６】
2012232660.tif 000009
【図７】
2012232660.tif 000010
【図８】
2012232660.tif 000011
【図９】
2012232660.tif 000012
【図１０】
2012232660.tif 000013